(57)【要約】【課題】完全に引き出された状態を容易に把握することができる多段型のシートトレイを提供する。【解決手段】ＭＰトレイ１３は、第１トレイ３０Ａと、収納位置と引出位置との間を移動可能に第１トレイ３０Ａに支持された第２トレイ３０Ｂと、収納位置と引出位置との間を移動可能に第２トレイに支持された第３トレイ３０Ｃとを備えている。第２トレイ３０Ｂは、引出位置において、第１トレイ３０Ａに係合される係合部１１６を有している。第３トレイ３０Ｃは、第２トレイ３０Ｂとの当接位置において、上向きに第２トレイ３０Ｂと当接し、第３トレイ３０Ｃの引出位置において、第２トレイ３０Ｂに係合される係合部１３４を有している。係合部１３４は、弾性変形により当接が解除される向きへ移動可能である。係合部１３４が第２トレイ３０Ｂと当接した状態において、第２トレイ３０Ｂは第３トレイ３０Ｃと共に上向きへ移動可能である。【選択図】図１３
2017132624.tif 000002
【特許請求の範囲】
【請求項１】
シートを支持する第１支持面を有する第１トレイと、
シートを支持する第２支持面を有し、当該第２支持面の少なくとも一部が上記第１支持面と直交する向きのうち当該第１支持面が向く方と反対の方に位置する状態で上記第１支持面と重複する第１位置、及び当該第２支持面の上記第１支持面に対する重複面積が当該第１位置よりも小さい第２位置の間を上記第１支持面に沿ったスライド方向へ移動可能に上記第１トレイに支持された第２トレイと、
シートを支持する第３支持面を有し、当該第３支持面の少なくとも一部が上記第２支持面と直交する向きのうち当該第２支持面の向く方と反対の方に位置する状態で上記第２支持面と重複する第３位置、及び当該第３支持面の上記第２支持面に対する重複面積が当該第３位置よりも小さい第４位置の間を上記スライド方向へ移動可能に上記第２トレイに支持された第３トレイと、を備えており、
上記第２トレイは、上記第２位置において、上記第１トレイに係合される第１係合部を有しており、
上記第３トレイは、当該第３トレイが上記第３位置と上記第４位置との間にある第５位置において、上記第１位置から上記第２位置へ向かう引出向きへ上記第２トレイと当接し、上記第４位置において、上記第２トレイに係合される第２係合部を有しており、
上記第２係合部は、弾性変形により上記当接が解除される向きへ移動可能であり、
上記第２係合部が上記第２トレイと当接した状態において、当該第２トレイは上記第３トレイと共に上記引出向きへ移動可能であるシートトレイ。
【請求項２】
上記第２係合部が上記第２トレイと当接した状態において、当該第２トレイが上記第３トレイと共に上記引出向きへ移動することによって、上記第１係合部が上記第１トレイに係合する請求項１に記載のシートトレイ。
【請求項３】
上記第１係合部が上記第１トレイに係合した状態において、上記第３トレイが上記第５位置から上記第４位置へ向かって移動されることによって、上記第２係合部が弾性変形して上記第２トレイとの当接が解除される請求項１又は２に記載のシートトレイ。
【請求項４】
上記第１トレイは、上記第１支持面を有する第１支持板と、上記第１支持板から上記スライド方向と直交する方向へ突出する第１突起部と、上記第１支持板に支持され、上記第２トレイを上記スライド方向へ案内するガイドレールと、を有しており、
上記第１支持板は、突起支持面と、当該突起支持面から上記スライド方向と直交する方向へ突出する第２突起部とを有しており、
上記第２突起部は、上記引出向きを向いており、且つ上記引出向きへ向かって上記突起支持面に近づく方へ傾斜する傾斜面を有しており、
上記第２トレイは、上記第２支持面を有する第２支持板を有しており、
上記第２支持板は、上記第１突起部が突出する向きと反対向きに当該第２支持板から突出し、上記第２トレイが上記第２位置に位置する状態において、上記引出向きに上記第１突起部と当接する第３突起部を備えており、
上記第１係合部は、弾性変形する弾性部と、当該弾性部から上記突起支持面に向けて突出する突出部とを有しており、
上記第１係合部は、係合状態において、上記弾性部が弾性変形することによって上記突出部が上記傾斜面へ向けて付勢されつつ当接し、且つ、当該突出部が上記突起支持面に当接しない請求項３に記載のシートトレイ。
【請求項５】
上記引出向きは、上向きである請求項１から４のいずれかに記載のシートトレイ。
【請求項６】
上記第３トレイは、上記第２トレイが上記第１位置にあり且つ上記第３トレイが上記第３位置にあるときに、上記第１トレイに係合される第３係合部を有している請求項１から５のいずれかに記載のシートトレイ。
【請求項７】
上記第１トレイは、上記第１支持面と、当該第１支持面の周縁部から当該第１支持面が向く方と反対向きに延出された延部とを含む第１支持板と、当該第１支持面が向く方と反対向きに、当該第１支持面に対し離間して配置されたカバーとを有しており、
上記第２トレイ及び上記第３トレイは、上記第２トレイが上記第１位置にあり且つ上記第３トレイが上記第４位置にある状態において、上記第１支持板と上記カバーとの間において画定される空間に位置している請求項１から６のいずれかに記載のシートトレイ。
【請求項８】
上記延部は、上記スライド方向に沿って貫通する貫通孔を有しており、
上記第２トレイは、上記貫通孔を通じて上記第１位置から上記引出向きへ移動し、上記第３トレイは、上記貫通孔を通じて上記第３位置から上記引出向きへ移動する請求項７に記載のシートトレイ。
【請求項９】
請求項１から８いずれかに記載のシートトレイと、
上記シートトレイに支持されたシートを装置本体に給送する給送部と、を備えるシート搬送装置。
【発明の詳細な説明】
【技術分野】
【０００１】
本発明は、シートを支持するシートトレイ、及び装置本体へ給紙するシートを支持するシートトレイを備えたシート搬送装置に関する。
【背景技術】
【０００２】
従来、３段以上のトレイを伸縮させる構成のシートトレイが知られている。例えば、特許文献１には、４段のトレイを引き出すことでシートの支持面を拡大することができる給送トレイが記載されている。各トレイの直上段のトレイが自重により自然に降下して引出状態を維持できないことを防止するために、この給送トレイにおいては、各段においてトレイをロックするロック機構が備えられている。すなわち、この給送トレイでは、４段のトレイを完全に引き出す過程において、３回のロックが行われる。
【先行技術文献】
【特許文献】
【０００３】
【特許文献１】特開２００８−１００８０６号公報
【発明の概要】
【発明が解決しようとする課題】
【０００４】
特許文献１に記載の給送トレイでは、トレイが引き出される過程において、全てのトレイが完全に引き出されるまでに、トレイが複数回にわたり係合される。そのため、全てのトレイが完全に引き出された状態になったか否かをユーザが把握しにくい。
【０００５】
本発明は、上記の事情に鑑みてなされたものであり、その目的は、完全に引き出された状態を容易に把握することができる多段型のシートトレイを提供することにある。
【課題を解決するための手段】
【０００６】
(1)  本発明に係るシートトレイは、シートを支持する第１支持面を有する第１トレイと、シートを支持する第２支持面を有し、当該第２支持面の少なくとも一部が上記第１支持面と直交する向きのうち当該第１支持面が向く方と反対の方に位置する状態で上記第１支持面と重複する第１位置、及び当該第２支持面の上記第１支持面に対する重複面積が当該第１位置よりも小さい第２位置の間を上記第１支持面に沿ったスライド方向へ移動可能に上記第１トレイに支持された第２トレイと、シートを支持する第３支持面を有し、当該第３支持面の少なくとも一部が上記第２支持面と直交する向きのうち当該第２支持面の向く方と反対の方に位置する状態で上記第２支持面と重複する第３位置、及び当該第３支持面の上記第２支持面に対する重複面積が当該第３位置よりも小さい第４位置の間を上記スライド方向へ移動可能に上記第２トレイに支持された第３トレイと、を備えている。上記第２トレイは、上記第２位置において、上記第１トレイに係合される第１係合部を有している。上記第３トレイは、当該第３トレイが上記第３位置と上記第４位置との間にある第５位置において、上記第１位置から上記第２位置へ向かう引出向きへ上記第２トレイと当接し、上記第４位置において、上記第２トレイに係合される第２係合部を有している。上記第２係合部は、弾性変形により上記当接が解除される向きへ移動可能である。上記第２係合部が上記第２トレイと当接した状態において、当該第２トレイは上記第３トレイと共に上記引出向きへ移動可能である。
【０００７】
上記構成によれば、第３トレイが引出向きへ移動されると、第３トレイが第５位置に移動し、第３トレイの第２係合部が第２トレイと引出向きに当接する。第３トレイがさらに引出向きへ移動されると、第２係合部が第２トレイと当接した状態で第３トレイと共に第２トレイが引出向きへ移動する。第２トレイが第２位置まで移動されると、第２トレイの第１係合部が第１トレイに係合する。また、第３トレイが第４位置まで移動されると、第３トレイの第２係合部が第２トレイに係合する。このようにして、第２トレイが第２位置まで移動し、第３トレイが第４位置まで移動した状態で、第１トレイ、第２トレイ及び第３トレイが相互に係合される。
【０００８】
(2)  好ましくは、上記第２係合部が上記第２トレイと当接した状態において、当該第２トレイが上記第３トレイと共に上記引出向きへ移動することによって、上記第１係合部が上記第１トレイに係合する。
【０００９】
上記構成によれば、第３トレイの第２係合部が第２トレイに係合する前に、第２トレイの第１係合部が第１トレイに係合する。そのため、第３トレイのみが引き出された状態でシートトレイが使用されることが抑制される。
【００１０】
(3)  好ましくは、上記第１係合部が上記第１トレイに係合した状態において、上記第３トレイが上記第５位置から上記第４位置へ向かって移動されることによって、上記第２係合部が弾性変形して上記第２トレイとの当接が解除される。
【００１１】
上記構成によれば、第３トレイが第４位置へ容易に移動される。
【００１２】
(4)  好ましくは、上記第１トレイは、上記第１支持面を有する第１支持板と、上記第１支持板から上記スライド方向と直交する方向へ突出する第１突起部と、上記第１支持板に支持され、上記第２トレイを上記スライド方向へ案内するガイドレールと、を有している。上記第１支持板は、突起支持面と、当該突起支持面から上記スライド方向と直交する方向へ突出する第２突起部とを有している。上記第２突起部は、上記引出向きを向いており、且つ上記引出向きへ向かって上記突起支持面に近づく方へ傾斜する傾斜面を有している。上記第２トレイは、上記第２支持面を有する第２支持板を有している。上記第２支持板は、上記第１突起部が突出する向きと反対向きに当該第２支持板から突出し、上記第２トレイが上記第２位置に位置する状態において、上記引出向きに上記第１突起部と当接する第３突起部を備えている。上記第１係合部は、弾性変形する弾性部と、当該弾性部から上記突起支持面に向けて突出する突出部とを有している。上記第１係合部は、係合状態において、上記弾性部が弾性変形することによって上記突出部が上記傾斜面へ向けて付勢されつつ当接し、且つ、当該突出部が上記突起支持面に当接しない。
【００１３】
上記構成によれば、第１係合部の係合に対してユーザが感じるクリック感が少なくなる。そのため、ユーザが大きなクリック感を感じたときに、第１係合部及び第２係合部が共に係合された状態になる。したがって、第２トレイが第２位置に位置し、第３トレイが第４位置に位置する状態が容易に把握される。
【００１４】
また、傾斜した傾斜面に対する第１係合部の付勢力により、第２トレイは引出向きへの力を受けている。すなわち、第２トレイは、第２位置において、引出向きへの移動が規制された状態で引出向きへの力を受けている。そのため、スライド方向における両向きへの第２トレイの移動が抑制される。
【００１５】
(5)  好ましくは、上記引出向きは、上向きである。
【００１６】
上記構成によれば、第２トレイが第２位置まで移動されておらず、且つ第３トレイが第４位置まで移動されていない状態で、第２トレイ及び第３トレイの移動が中止されると、重力により第２トレイ及び第３トレイが第１位置及び第３位置に戻りやすい。そのため、全てのトレイが完全に引き出された状態をユーザが容易に把握することができる。
【００１７】
(6)  好ましくは、上記第３トレイは、上記第２トレイが上記第１位置にあり且つ上記第３トレイが上記第３位置にあるときに、上記第１トレイに係合される第３係合部を備える。
【００１８】
上記構成によれば、第２トレイが第１位置にあり且つ第３トレイが第３位置にある状態にシートトレイが保持される。
【００１９】
(7)  好ましくは、上記第１トレイは、上記第１支持面と、当該第１支持面の周縁部から当該第１支持面が向く方と反対向きに延出された延部とを含む第１支持板と、当該第１支持面が向く方と反対向きに、当該第１支持面に対し離間して配置されたカバーとを有している。上記第２トレイ及び上記第３トレイは、上記第２トレイが上記第１位置にあり且つ上記第３トレイが上記第４位置にある状態において、上記第１支持板と上記カバーとの間において画定される空間に位置している。
【００２０】
上記構成によれば、第２トレイにおいて第２支持面の反対に位置する面と、第３トレイにおいて第３支持面の反対に位置する面とがカバーによって隠される。そのため、シートトレイの外観をよくすることができる。また、第２トレイ及び第３トレイがカバーによって保護される。
【００２１】
(8)  好ましくは、上記延部は、上記スライド方向に沿って貫通する貫通孔を有している。上記第２トレイは、上記貫通孔を通じて上記第１位置から上記引出向きへ移動し、上記第３トレイは、上記貫通孔を通じて上記第３位置から上記引出向きへ移動する。
【００２２】
上記構成によれば、第２トレイが第１位置にあり且つ第３トレイが第３位置にある状態において、第２トレイ及び第３トレイは第１トレイに隠された状態になる。そのため、この状態において、シートトレイの外観をよくすることができる。また、シートトレイをコンパクトにすることができる。
【００２３】
(9)  本発明に係るシート搬送装置は、請求項１から５のいずれかに記載のシートトレイと、上記シートトレイに支持されたシートを装置本体に給送する給送部と、を備える。
【発明の効果】
【００２４】
本発明によれば、シートトレイが完全に引き出された状態をユーザが容易に把握することができる。
【図面の簡単な説明】
【００２５】
【図１】図１は、複合機１０の斜視図である。
【図２】図２は、プリンタ部１１の内部構造を模式的に示す縦断面図である。
【図３】図３は、傾斜状態にあり、且つ第２トレイ３０Ｂ及び第３トレイ３０Ｃが収納位置にあるトレイ本体部３０を示す斜視図である。
【図４】図４は、傾斜状態にあり、且つ第２トレイ３０Ｂ及び第３トレイ３０Ｃが引出位置にあるトレイ本体部３０を示す斜視図である。
【図５】図５は、起立状態にあり、且つ第２トレイ３０Ｂ及び第３トレイ３０Ｃが収納位置にあるトレイ本体部３０を示す斜視図である。
【図６】図６（Ａ）は、起立状態にある第１トレイ３０Ａの中央断面図であり、図６（Ｂ）は、傾斜状態にある第１トレイ３０Ａの中央断面図である。
【図７】図７は、第１トレイ３０Ａにおける第１支持板９０の後面９０Ｂを示す平面図である。
【図８】図８は、第１トレイ３０Ａにおける後カバー１０１の前面１０１Ａを示す平面図である。
【図９】図９は、第２トレイ３０Ｂにおける第２支持板１１１の後面１１１Ｂを示す平面図である。
【図１０】図１０は、第３トレイ３０Ｃにおける第３支持板１３１の前面１３１Ａを示す平面図である。
【図１１】図１１は、第１状態におけるＭＰトレイ１３の第１支持板９０、第２支持板１１１及び第３支持板１３１を後方から見た平面図である。
【図１２】図１２は、第２状態におけるＭＰトレイ１３の第１支持板９０、第２支持板１１１及び第３支持板１３１を後方から見た平面図である。
【図１３】図１３は、第３状態におけるＭＰトレイ１３の第１支持板９０、第２支持板１１１及び第３支持板１３１を後方から見た平面図である。
【図１４】図１４は、第４状態におけるＭＰトレイ１３の第１支持板９０、第２支持板１１１及び第３支持板１３１を後方から見た平面図である。
【図１５】図１５（Ａ）は、係合部１３４が突部１１２に当接した状態を示す断面図、図１５（Ｂ）は、係合部１１６が突部９３と係合した状態を示す断面図、図１５（Ｃ）は、係合部１３４が突部１１２と係合した状態を示す断面図である。
【発明を実施するための形態】
【００２６】
以下、本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１４が設けられている面を手前として前後方向８が定義され、複合機１０を手前から見て左右方向９が定義される。以下の各部材の説明では、当該部材が複合機１０に組み付けられた状態によって、上下方向７、前後方向８、左右方向９が定義されるものとする。なお、複合機１０は、可動部分を有している。それらの可動部分については、図１に示されている既定状態を基準に上下方向７、前後方向８及び左右方向９が定義される。
【００２７】
［複合機１０の全体構成］
図１に示されるように、複合機１０（シート搬送装置の一例）は、概ね直方体に形成されている。複合機１０は、本体ユニット１０Ａを有している。本体ユニット１０Ａは、記録紙などの原稿に記録された画像をイメージセンサによって読み取って画像データを取得するスキャナ部１２を備えている。本体ユニット１０Ａは、スキャナ部１２より下方に、上記画像データなどに基づいて、記録紙１５（シートの一例）に画像を記録するプリンタ部１１（装置本体の一例）を備えている。複合機１０は、本体ユニット１０Ａの後部に配置された多目的（以下「ＭＰ」（Ｍｕｌｔｉ  Ｐｕｒｐｏｓｅの略）と、表記する。）トレイ１３を備えている。ＭＰトレイ１３は、本体ユニット１０Ａに対して回動可能なトレイ本体部３０（シートトレイの一例）を有している。
【００２８】
［プリンタ部１１］
プリンタ筐体１１Ａの内部には、開口１４から前後方向８に挿抜可能であって内部に記録紙１５が収容される給送トレイ２０が配設されている。給送トレイ２０より下方には下給送トレイ２０Ａが配置されている。下給送トレイ２０Ａの機能は給送トレイ２０と同様であるので、図２に示されるプリンタ部１１の内部構造においては、給送トレイ２０のみが示されており下給送トレイ２０Ａは省略されている。
【００２９】
プリンタ部１１におけるプリンタ筐体１１Ａの内部には、図２に示されているように、記録紙１５を搬送する搬送路２３と、搬送路２３を搬送される記録紙１５に画像を記録する記録部２４と、が配設されている。搬送路２３に示された矢印１７は、記録紙１５の搬送向きを示している。搬送向き１７において記録部２４より上流に搬送ローラ対５９が搬送路２３に配置されている。搬送向き１７において記録部２４より下流に排出ローラ対６４が搬送路２３に配置されている。
【００３０】
給送トレイ２０の上方且つ記録部２４の下方に給送ローラ２６が設けられている。給送ローラ２６は、給送アーム２７の先端部において軸支されている。給送ローラ２６は、給送用モータ（不図示）から駆動力が伝達されることによって回転される。給送アーム２７は、基端部に設けられた支軸２８を中心として、矢印２９の方向に回動する。
【００３１】
記録部２４において画像が記録された記録紙１５は、給送トレイ２０の上面に設けられた排出トレイ２１に排出され、排出トレイ２１により支持される。排出トレイ２１は、給送トレイ２０に支持されている。
【００３２】
［搬送路２３］
図２に示されるように、給送トレイ２０の後方の端部から搬送路２３が延出されている。搬送路２３は、湾曲部２３Ａと直線部２３Ｂとを備える。湾曲部２３Ａは、後方を湾曲外側とし、前方を湾曲内側として湾曲しつつ延びている。直線部２３Ｂは、湾曲部２３Ａの上方の端部から延出され、前方に延びている。
【００３３】
湾曲部２３Ａは、所定間隔を隔てて互いに対向する第１ガイド部材１８と第２ガイド部材１９とによって形成されている。第１ガイド部材１８は、湾曲部２３Ａの湾曲外側を画定している。給送トレイ２０の底辺を構成する底板２２と第１ガイド部材１８との間には、記録紙１５の重ね送りを防止するための図示されない分離部を有するガイド板２２Ａが配置されている。第２ガイド部材１９は、湾曲部２３Ａの湾曲内側を画定している。直線部２３Ｂは、記録部２４が配置されている位置では所定間隔を隔てて互いに対向する記録部２４とプラテン４２とによって形成されている。第１ガイド部材１８及び第２ガイド部材１９は、図２における紙面と直交する方向である左右方向９に延設されている。
【００３４】
給送トレイ２０により支持された記録紙１５は、給送ローラ２６によって湾曲部２３Ａを下から上へＵターンするように搬送されて搬送ローラ対５９に到達する。搬送ローラ対５９により挟持された記録紙１５は、画像記録面を記録部２４に向けて直線部２３Ｂを前方に搬送される。記録部２４の直下に到達した記録紙１５は、記録部２４により画像記録面に画像を記録される。画像が記録された記録紙１５は、直線部２３Ｂを前方に搬送されて排出トレイ２１に排出される。以上のように、記録紙１５は、図２に一点鎖線の矢印により示される搬送向き１７に沿って搬送される。
【００３５】
［バイパス経路４４］
図２に示されるように、バイパス経路４４は、例えば湾曲部２３Ａを経由せずに、搬送路２３における搬送ローラ対５９の搬送向き１７上流に記録紙１５を供給する経路である。バイパス経路４４は、ガイド部３６及びガイド部３７によって形成される経路と、プリンタ筐体１１Ａ内における搬送路２３の直線部２３Ｂとによって構成されている。ＭＰトレイ１３の支持面３１に支持された記録紙１５は、ガイド部材３６及びガイド部材３７に案内されて記録紙１５の先端（給送向きの端部）が搬送ローラ対５９（給送部の一例）に当接することによって位置決めがされる。位置決めされた記録紙１５は、搬送ローラ対５９によって、給送向き８７に給送されて直線部２３Ｂを搬送され、更に記録部２４によって画像記録が行われる。画像が記録された記録紙１５は、排出ローラ対６４によって搬送されて排出トレイ２１へ排出される。ガイド部３６の詳細については、後述する。
【００３６】
［記録部２４］
図２に示されるように、記録部２４は、直線部２３Ｂの上方に設けられており、キャリッジ４０と記録ヘッド３８とを備えている。記録部２４の下方且つ記録部２４と対向する位置には、プラテン４２が設けられている。プラテン４２は、上部によって直線部２３Ｂを搬送ローラ対５９により搬送される記録紙１５を支持する部材である。
【００３７】
キャリッジ４０は、前後方向８に間隔を空けて配置された２つのガイドレール（図示せず）によって左右方向９へ往復移動可能に支持されている。記録ヘッド３８は、キャリッジ４０に搭載されている。記録ヘッド３８には、例えばインクカートリッジ（図示せず）からインクが供給される。記録ヘッド３８の下面には、ノズル３９が形成されている。キャリッジ４０が左右方向９に移動している状態において、記録ヘッド３８は、ノズル３９からインク滴をプラテン４２に向けて吐出する。これによって、プラテン４２に支持された状態の記録紙１５に画像が記録される。
【００３８】
［搬送ローラ対５９］
搬送ローラ対５９は、直線部２３Ｂの上方に配置された搬送ローラ６０と、直線部２３Ｂの下方に搬送ローラ６０と対向して配置されたピンチローラ６１とを備えている。
【００３９】
［排出ローラ対６４］
図２に示されるように、排出ローラ対６４は、直線部２３Ｂの下方に配置された排出ローラ６２と、直線部２３Ｂの上方に排出ローラ６２と対向して配置された拍車６３とを備えている。
【００４０】
搬送ローラ６０及び排出ローラ６２は、上記搬送用モータから駆動力が伝達されて回転する。搬送ローラ対５９に記録紙１５が挟持されている状態（ニップ状態）で搬送ローラ６０が回転すると、記録紙１５は、搬送ローラ対５９によって搬送向き１７に搬送される。排出ローラ対６４に記録紙１５が挟持されている状態で排出ローラ６２が回転すると、記録紙１５は、排出ローラ対６４によって搬送向き１７に搬送される。
【００４１】
なお、本実施形態において、記録部２４が記録紙１５に画像を記録する方式は、インクジェット記録方式であるが、記録部２４が記録紙１５に画像を記録する方式はインクジェット記録方式に限らず、例えば電子写真方式などであってもよい。
【００４２】
［スキャナ部１２］
スキャナ部１２は、フラットベッドスキャナであり、図１に示されるように、本体ユニット１０Ａ上に設けられたスキャナ本体７１と、スキャナ本体７１上に配置される原稿カバー７２とを有する。スキャナ本体７１の上面には、原稿が載置されるプラテンガラス（非図示）が設けられている。スキャナ本体７１の内部には、プラテンガラス上の原稿の画像を光学的に読み取り可能なイメージセンサ（図示せず）が設けられている。
【００４３】
［ＭＰトレイ１３］
図２に示されるように、ＭＰトレイ１３は、バイパス経路４４を介して搬送路２３に記録紙１５を供給する機能を有する。ＭＰトレイ１３は、回動軸線３５（図３参照）を中心として、本体ユニット１０Ａに対して回動可能に支持されるトレイ本体部３０を有している。トレイ本体部３０は、記録紙１５を支持する支持面３１を有している。支持面３１には、複合機１０から排出された記録紙１５が支持される。トレイ本体部３０は、図５に示す起立状態と、図３に示す傾斜状態との間で回動可能である。トレイ本体部３０の起立状態においては、支持面３１は、上下方向７と左右方向９とに沿って拡がる状態で前方に向いている。トレイ本体部３０の傾斜状態においては、支持面３１は、上方の端部が本体ユニット１０Ａから起立状態より離れた状態となっている。図２においては、トレイ本体部３０が回動する向きが矢印８０及び８２により示されている。
【００４４】
以下のＭＰトレイ１３の説明では、起立状態にあるトレイ本体部３０についての各方向、すなわち上下方向７、前後方向８及び左右方向９を参照して各部を説明する。
【００４５】
［トレイ本体部３０］
図４に示されるように、トレイ本体部３０は、内部に空間（図６参照）を有する第１トレイ３０Ａと、第１トレイ３０Ａの内部空間に収容可能であり、その内部空間から引出可能である第２トレイ３０Ｂと、第１トレイ３０Ａの内部空間に収容可能であり、その内部空間から引出可能である第３トレイ３０Ｃとを有している。第２トレイ３０Ｂ及び第３トレイ３０Ｃが第１トレイ３０Ａの内部空間に収容された状態（図３参照）から、第２トレイ３０Ｂ及び第３トレイ３０Ｃが第１トレイ３０Ａの内部空間から引き出された状態（図４参照）にすることによって、それらを引き出す引出向き５において、トレイ本体部３０及び支持面３１が伸長される。
【００４６】
以下のトレイ本体部３０の説明においては、起立状態にあるトレイ本体部３０における各方向を用いて、形状等について説明する。
【００４７】
［ガイド部３６］
図６に示されるように、ＭＰトレイ１３は、ガイド部３６を備えている。ガイド部３６は、後述する第１トレイ３０Ａの第１支持面９０Ａの前方に位置している。ガイド部３６は、第１トレイ３０Ａの第１支持面９０Ａに支持されて給送される記録紙１５をバイパス経路４４へ案内するものである。ガイド部３６は、上面３６Ａ及びガイド面３６Ｂを有している。ガイド面３６Ｂは、上下方向７に対向するガイド面３６Ｂ及びガイド面３７Ａによって、バイパス経路４４の一部が区画されている。
【００４８】
上面３６Ａは、前後方向８及び左右方向９に沿って拡がり上方を向いている。図６（Ａ）に示されるように、トレイ本体部３０の起立状態において、上面３６Ａの後端は、第１支持面９０Ａと近接し、バイパス経路４４の上方を覆う。これにより、ガイド部３６は、バイパス経路４４の蓋として機能する。図６（Ｂ）に示されるように、トレイ本体部３０の傾斜状態において、ガイド面３６Ｂの上端と第１支持面９０Ａとの間隔が大きくなる。これによって、ガイド部３６のガイド面３６Ｂと、ガイド部３７のガイド面３７Ａとの間隔が大きくなり、バイパス経路４４の一部が形成される。
【００４９】
ガイド部３６は、上面３６Ａの後端部における左右方向９の中央部が前方に凹むように切りかかれている。これに合わせて、ガイド面３６Ｂの上端部における左右方向９の中央部は、略上下方向７及び左右方向９に沿って拡がっている。これによって、小さいサイズ（例えば写真記録に用いられるＬ版サイズ）の記録紙１５がＭＰトレイ１３に支持されている場合に、ユーザが記録紙１５を取出やすい。
【００５０】
［第１トレイ３０Ａ］
図３及び図８に示されるように、第１トレイ３０Ａは、第１支持板９０と、後カバー１０１と、を有する。第１支持板９０は、上下方向７及び左右方向９に沿って拡がる板状の部材である板部９１と、板部９１の上下方向７及び左右方向９における周縁部から後方に延出されている延部９２とを有する。後カバー１０１は、第１支持板９０の後方に板部９１と間隔を空けて配置されている。
【００５１】
板部９１は、上下方向７及び左右方向９に沿って拡がる矩形状を有している。延部９２は、前後方向８に延びる筒形状を有している。後カバー１０１は、板部９１と略同形状を有している。
【００５２】
図６に示されるように、延部９２は、上下方向７に貫通する貫通孔９２Ａを上部に有している。貫通孔９２Ａは、第１トレイ３０Ａの上端部に位置している。貫通孔９２Ａの左右方向９の寸法は、第２トレイ３０Ｂの左右方向９の寸法より大きい。
【００５３】
［サイドガイド３２］
図３に示されているように、第１トレイ３０Ａの第１支持面９０Ａには、左右方向９における第１支持面９０Ａの中心に対して左方と右方とに、一対のサイドガイド３２が設けられている。サイドガイド３２は、第１支持面９０Ａに平行且つ上下方向に沿って延びており、第１支持面９０Ａにおいて、左右方向９に沿って移動可能である。サイドガイド３２は、一方が左方に移動すると他方が右方に移動し、一方が右方に移動すると他方が左方に移動するように、公知の連結機構によって連結されている。サイドガイド３２は、第１トレイ３０Ａの左右方向９において中央に位置する中央凹部３３（図３参照、後述）を間に挟んで左方及び右方にそれぞれ配置される。これら一対のサイドガイド３２の対向する面が記録紙１５の左右方向９における両端部と当接することによって、記録紙１５は、例えば第１トレイ３０Ａの左右方向９におけるセンター位置を基準に位置決めされる。
【００５４】
［中央凹部３３］
図３に示されるように、第１支持面９０Ａには、中央凹部３３が形成されている。中央凹部３３の下端は、複合機１０で使用可能な最小サイズであり、写真記録に用いられるＬ版サイズの記録紙１５を縦置きにした上端より下方に位置する。中央凹部３３の上端は、第２トレイ３０Ｂ及び第３トレイ３０Ｃを引き出さない状態において、ＭＰトレイ１３が支持可能な、日本工業規格によるＡ４サイズの記録紙１５を横置きにした上端より上方に位置する。
【００５５】
中央凹部３３は、図６に示されるように、第１支持面９０Ａにおいて後方へ凹んで形成されている。そのため、第１支持面９０Ａに記録紙１５が支持された状態で、記録紙１５において第１支持面９０Ａを向いた面と中央凹部３３との間に間隔ができる。記録紙１５は、ＭＰトレイ１３に支持される際、記録紙１５の先端（給送向きの端部）が搬送ローラ対５９に当接するように載置される。そのため、Ｌ版サイズの記録紙１５がＭＰトレイ１３に載置される際、図３に破線で示されるようにＬ版サイズの記録紙１５における上端は、低い位置に位置する。この場合でも、Ｌ版サイズの記録紙１５の上端部には、中央凹部３３との間に間隔ができるため、ユーザは、ＭＰトレイ１３に支持されたＬ版サイズの記録紙１５を取り出しやすい。
【００５６】
［第１支持板９０］
図３に示されるように、第１トレイ３０Ａを構成する第１支持板９０は、前方を向いて上下方向７及び左右方向９に沿って拡がる第１支持面９０Ａを有している。第１支持面９０Ａは、トレイ本体部３０において第２トレイ３０Ｂ及び第３トレイ３０Ｃが第１トレイ３０Ａに収納された状態において、支持面３１を形成する（図３参照）。また、第１支持面９０Ａは、トレイ本体部３０において第２トレイ３０Ｂ及び第３トレイ３０Ｃが第１トレイ３０Ａから引き出された状態において、支持面３１の一部を形成する（図４参照）。
【００５７】
図７に示されるように、第１支持板９０は、後方（図７において紙面の手前向き）を向いて上下方向７及び左右方向９に沿って拡がる後面９０Ｂ（突起支持面の一例）を有している。後面９０Ｂには、左右一対の突部９３と、左右一対の突部９４と、左右一対の突部９５と、左右一対のガイドレール９６とが設けられている。突部９３，９４，９５及びガイドレール９６は、第１支持板９０と一体に形成されている。第１支持板９０は、例えば樹脂により形成されている。
【００５８】
突部９５は、第１支持板９０の後面９０Ｂにおける下端部から後方に突出している。突部９５は、上下方向７の中央部が左右方向９の外方に山型に起伏した形状を有している。突部９５は、突部９５の上端から下方に向かって左右方向９の外方に傾斜し上方を向いた上傾斜面９５Ａと、突部９５の下端から上方に向かって左右方向９の外方に傾斜し下方を向いた下傾斜面９５Ｂとを有している。突部９５は、後述する第３トレイ３０Ｃの第３支持板１３１における係合部１３３に対応するものである。突部９５は、第３トレイ３０Ｃの第３支持板１３１における係合部１３３と、前後方向８及び左右方向９において少なくとも一部が重なる位置にある。
【００５９】
突部９４は、第１支持板９０の後面９０Ｂにおける下端部から後方に突出している。突部９４は、筒形状である。突部９４は、前後方向８に延びる四角筒形状を有している。突部９４は、突部９５より左右方向９の外方に位置している。突部９４は、突部９４の上端に、上方を向いて前後方向８及び左右方向９に沿って拡がる当接面９４Ａを有している。突部９４は、後述する第２トレイ３０Ｂの第２支持板１１１における第２切欠き１１４に対応するものである。突部９４は、第２トレイ３０Ｂの第２支持板１１１における第２切欠き１１４と、前後方向８及び左右方向９において少なくとも一部が重なる位置にある。
【００６０】
ガイドレール９６は、第１支持板９０の後面９０Ｂにおける上下方向７の中央部から後方に突出し上下方向７に延びている。ガイドレール９６は、突部９４より左右方向９の外方に位置している。ガイドレール９６は、後方に突出した後、左右方向９の内方へ屈曲しており、且つ上下方向７に延設されている。ガイドレール９６は、前方に向いて上下方向７及び前後方向８に沿って延びる摺動面（不図示）を有している。ガイドレール９６は、後述する第２トレイ３０Ｂの第２支持板１１１におけるガイドレール１１９に対応するものである。ガイドレール９６は、第２トレイ３０Ｂの第２支持板１１１におけるガイドレール１１９と、前後方向８及び左右方向９において少なくとも一部が重なる位置にある。ガイドレール９６の摺動面の前方にガイドレール１１９が左右方向９の内方から進入ことにより、ガイドレール９６とガイドレール１１９とが互いに上下方向７にスライド移動が可能となる。
【００６１】
図１５（Ｂ）に示されるように、突部９３（第２突起部の一例）は、第１支持板９０の後面９０Ｂにおける上下方向７の中央部から後方に突出している。突部９３は、上下方向７へ延びる３本のリブ形状である。突部９３は、ガイドレール９６より左右方向９の外方に位置している。突部９３は、突部９３の上端から下方に向かって後方に傾斜し上方を向いた上傾斜面９３Ａ（傾斜面の一例）と、突部９３の下端から上方に向かって後方に傾斜し下方を向いた下傾斜面９３Ｂとを有している。突部９３は、後述する第２トレイ３０Ｂの第２支持板１１１における係合部１１６に対応するものである。突部９３は、第２トレイ３０Ｂの第２支持板１１１における係合部１１６と、前後方向８及び左右方向９において少なくとも一部が重なる位置にある。
【００６２】
［後カバー１０１］
図８に示されるように、後カバー１０１（カバーの一例）は、前方を向いて上下方向７及び左右方向９に沿って後カバー１０１の全体に拡がる前面１０１Ａを有している。前面１０１Ａには、左右一対の突部１０２と、左右一対の突部１０３と、左右一対の突部１０４と、左右一対の突部１０６とが設けられている。突部１０２，１０３，１０４，１０６は、後カバー１０１と一体に形成されている。後カバー１０１は、例えば樹脂により形成されている。
【００６３】
突部１０２は、後カバー１０１の前面１０１Ａにおける上端部であって左右方向９の端部から前方に突出している。突部１０２は、筒形状である。突部１０２は、下方を向いて前後方向８及び左右方向９に沿って拡がる当接面１０２Ａを有している。突部１０２は、後述する第２トレイ３０Ｂの第２支持板１１１における延出部１１７における上当接面１１７Ａに対応するものである。突部９３は、第２トレイ３０Ｂの第２支持板１１１における延出部１１７の上当接面１１７Ａと、前後方向８及び左右方向９において少なくとも一部が重なる位置にある。
【００６４】
突部１０３は、後カバー１０１の前面１０１Ａにおいて下端部であって左右方向９の端部から前方に突出している。突部１０３は、横Ｈ字型のリブ形状である。突部１０３は、上方を向いて前後方向８及び左右方向９に沿って拡がる当接面１０３Ａを有している。突部１０３は、後述する第２トレイ３０Ｂの第２支持板１１１における延出部１１７における下当接面１１７Ｂに対応するものである。突部１０３は、第２トレイ３０Ｂの第２支持板１１１における延出部１１７における下当接面１１７Ｂと、前後方向８及び左右方向９において少なくとも一部が重なる位置にある。
【００６５】
突部１０４は、後カバー１０１の前面１０１Ａにおいて下端部であって左右方向９の中央部から前方に突出している。突部１０４は、上下方向７に延びるリブ形状である。突部１０４は、上方を向いて前後方向８及び左右方向９に沿って拡がる当接面１０４Ａを有している。突部１０４は、後述する第２トレイ３０Ｂの第２支持板１１１における第１切欠き１１５に対応するものである。突部１０４は、第２トレイ３０Ｂの第２支持板１１１における第１切欠き１１５と、前後方向８及び左右方向９において少なくとも一部が重なる位置にある。
【００６６】
突部１０６は、後カバー１０１の前面１０１Ａにおいて左右方向９の外端部であって上下方向７の中央部から前方に突出している。突部１０６は、立方体形状である。突部１０６は、左右方向９において突部１０３より外方に位置している。突部１０６は、左右方向９の外面から内方に凹んだねじ穴（不図示）を有している。突部の左右方向９の外面の位置は、第１支持板９０の延部９２における左右方向９の内面に対応している。突部１０６のねじ穴の位置は、第１支持板９０の延部９２の貫通孔９７に対応している。
【００６７】
後カバー１０１は、左右方向９の中央部において後カバー１０１の上端縁から下方へ凹む切欠き１０５を有している。切欠き１０５は、左右方向９に長い矩形状である。切欠き１０５は、突部１０４の上方に位置している。また、切欠き１０５は、左右方向９において、突部１０３より内方に位置している。と切欠き１０５の左右方向９の幅は、後述する第３トレイ３０Ｃの左右方向９の幅と略同一である。
【００６８】
［第２トレイ３０Ｂ］
図９に示されるように、第２トレイ３０Ｂは、上下方向７及び左右方向９に沿って拡がる板状の部材である第２支持板１１１を備えている。
【００６９】
第２支持板１１１は、前方を向いて上下方向７及び左右方向９に沿って第２支持板１１１の全体に拡がる第２支持面１１１Ａと、後方を向いて上下方向７及び左右方向９に沿って拡がる後面１１１Ｂとを有している。
【００７０】
後面１１１Ｂには、左右一対の突部１１２と、左右一対の突部１１３と、左右一対の第２切欠き１１４と、左右一対の第１切欠き１１５と、左右一対の係合部１１６と、左右一対の延出部１１７と、左右一対のガイドレール１１８と、左右一対のガイドレール１１９と、左右一対の突部１１２と、左右一対の突部１２１とが設けられている。突部１１２、突部１１３、第２切欠き１１４、第１切欠き１１５、係合部１１６、延出部１１７、ガイドレール１１８、ガイドレール１１９、突部１１２、突部１２１は、第２支持板１１１と一体に形成されている。第２支持板１１１は、例えば樹脂により形成されている。
【００７１】
第１切欠き１１５は、左右方向９の中央部において第２支持板１１１の下端縁から上方に凹んでいる。第１切欠き１１５は、矩形状である。第１切欠き１１５は、下方を向いて前後方向８及び左右方向９に沿って拡がる当接面１１５Ａを有している。第１切欠き１１５は、第１トレイ３０Ａの後カバー１０１における突部１０４に対応するものである。第１切欠き１１５は、第１トレイ３０Ａの後カバーにおける突部１０４と、前後方向８及び左右方向９において少なくとも一部が重なる位置にある。
【００７２】
突部１１２は、第２支持板１１１の後面１１１Ｂにおける上端部から後方に突出している。突部１１２は、左右方向９に延びるリブ形状である。突部１１２は、第１切欠き１１５より左右方向９の外方に位置している。突部１１２は、上方に向いて前後方向８及び左右方向９に沿って拡がり上方を向いた上面１１２Ａ、と下方に向いて前後方向８及び左右方向９に沿って拡がり下方を向いた下面１１２Ｂとを有している。突部１１２は、後述する第３トレイ３０Ｃの第３支持板１３１における係合部１３４に対応するものである。突部１１２は、第３トレイ３０Ｃの第３支持板１３１における係合部１３４と、前後方向８及び左右方向９において少なくとも一部が重なる位置にある。
【００７３】
突部１２０は、第２支持板１１１の後面１１１Ｂにおける下端部から後方に突出している。突部１２０は、筒形状である。突部１２０は、左右方向９において突部１１２と略同じ位置にある。突部１１２は、上方に向いて前後方向８及び左右方向９に沿って拡がる当接面１２０Ａを有している。突部１２０は、後述する第３トレイ３０Ｃの第３支持板１３１における当接壁１３７に対応するものである。突部１２０は、第３トレイ３０Ｃの第３支持板１３１における当接壁１３７と、前後方向８及び左右方向９において少なくとも一部が重なる位置にある。
【００７４】
ガイドレール１１８は、第２支持板１１１の後面１１１Ｂにおける上下方向７の略全域から後方に突出して上下方向７に延びている。ガイドレール１１８は、突部１１２における左右方向９の外端と同じ位置にある。ガイドレール１１８は、後方に突出した後、左右方向９の内方へ屈曲しており、且つ上下方向７に延設されている。ガイドレール１１８は、前方に向いて上下方向７及び前後方向８に沿って拡がる摺動面（不図示）を有している。ガイドレール１１８は、後述する第３トレイ３０Ｃの第３支持板１３１におけるガイドレール１３５に対応するものである。ガイドレール１１８は、第３トレイ３０Ｃの第３支持板１３１におけるガイドレール１３５と、前後方向８及び左右方向９において少なくとも一部が重なる位置にある。ガイドレール１１８の摺動面の前方にガイドレール１３５が左右方向９の内方から進入することにより、ガイドレール１１８とガイドレール１３５とが互いに上下方向７にスライド移動が可能となる。
【００７５】
突部１１３（第１突起部の一例）は、第２支持板１１１の後面１１１Ｂにおける上端部から後方に突出している。突部１１３は、Ｔ字型のリブ形状である。突部１１３は、ガイドレール１１８より左右方向９の外方に位置している。突部１１３は、下方に向いて前後方向８及び左右方向９に沿って拡がる当接面１１３Ａを有している。突部１１３は、後述する第３トレイ３０Ｃの第３支持板１３１における突部１３２に対応するものである。突部１１３は、第３トレイ３０Ｃの第３支持板１３１における突部１３２と、前後方向８及び左右方向９において少なくとも一部が重なる位置にある。
【００７６】
第２切欠き１１４は、第２支持板１１１の下端縁から上方に凹んでいる。第２切欠き１１４は、矩形状である。第２切欠き１１４は、左右方向９において突部１１３と略同一の位置に位置している。第２切欠き１１４は、下方を向いて前後方向８及び左右方向９に沿って拡がる当接面１１４Ａを有している。第２切欠き１１４は、第１トレイ３０Ａの第１支持板９０における突部９４に対応するものである。第２切欠き１１４は、第１トレイ３０Ａの第１支持板９０における突部９４と、前後方向８及び左右方向９において少なくとも一部が重なる位置にある。
【００７７】
突部１２１は、第２支持板１１１の上端部から左右方向９の内方に突出している。突部１２１は、立方体形状である。突部１２１は、第２切欠き１１４より左右方向９の外方に位置している。突部１２１は、上方に向いて前後方向８及び左右方向９に沿って拡がる当接面１２１Ａを有している。突部１２１は、後述する第３トレイ３０Ｃの第３支持板１３１における操作部１３６に対応するものである。突部１２１は、第３トレイ３０Ｃの第３支持板１３１における操作部１３６と、前後方向８及び左右方向９において少なくとも一部が重なる位置にある。
【００７８】
ガイドレール１１９は、第２支持板１１１の第２支持面１１１Ａにおける上下方向７の中央部から前方に突出して上下方向７に延びている。ガイドレール１１９は、第２切欠き１１４より左右方向９の外方に位置している。ガイドレール１１９は、前方に突出した後、左右方向９の外方へ屈曲しており、且つ上下方向７に延設されている。ガイドレール１１９は、後方に向いて上下方向７及び前後方向８に沿って拡がる摺動面１１９Ａ（図１１参照）を有している。ガイドレール１１９は、第１トレイ３０Ａの第１支持板９０におけるガイドレール９６に対応するものである。ガイドレール１１９は、第１トレイ３０Ａの第１支持板９０におけるガイドレール９６と、前後方向８及び左右方向９において少なくとも一部が重なる位置にある。ガイドレール１１９の摺動面１１９Ａの後方にガイドレール９６が左右方向９の外方から進入することにより、ガイドレール１１９とガイドレール９６とが互いに上下方向にスライド移動が可能となる。
【００７９】
係合部１１６（第１係合部の一例）は、第２支持板１１１の下端部に位置している。係合部１１６は、ガイドレール１１９より左右方向９の外方に位置している。係合部１１６は、図１５（Ｂ）に示されるように、弾性変形する弾性部１１６Ｃと弾性部１１６Ｃの下端において前方に突出した突出部１１６Ｄとを有している。突出部１１６Ｄは、突出部１１６Ｄの下端から上方に向かって前方に傾斜し下方を向いた下傾斜面１１６Ａと、突出部１１６Ｄの上端から下方に向かって前方に傾斜し上方を向いた上傾斜面１１６Ｂとを有している。下傾斜面１１６Ａ及び上傾斜面１１６Ｂは、第２支持面１１１Ａより前方に位置している。係合部１１６は、弾性部１１６Ｃの弾性変形により、突出部１１６Ｄが前後方向８に移動可能に形成されている。係合部１１６は、第１トレイ３０Ａの第１支持板９０における突部９３に対応するものである。係合部１１６は、第１トレイ３０Ａの第１支持板９０における突部９３と、前後方向８及び左右方向９において少なくとも一部が重なる位置にある。
【００８０】
延出部１１７（第３突起部の一例）は、第２支持板１１１の下端部において左右方向９における外方に延出している。延出部１１７は、矩形の平板形状である。延出部１１７は、上方を向いて前後方向８及び左右方向９に沿って拡がる上当接面１１７Ａと、下方を向いて前後方向８及び左右方向９に沿って拡がる下当接面１１７Ｂとを有している。上当接面１１７Ａは、第１トレイ３０Ａの後カバー１０１における突部１０２に対応するものである。下当接面１１７Ｂは、第１トレイ３０Ａの後カバー１０１における突部１０３に対応するものである。上当接面１１７Ａは、第１トレイ３０Ａの後カバー１０１における突部１０２と、前後方向８及び左右方向９において少なくとも一部が重なる位置にある。
【００８１】
［第３トレイ３０Ｃ］
図１０に示されるように、第３トレイ３０Ｃは、上下方向７及び左右方向９に沿って拡がる板状の部材である第３支持板１３１を備えている。
【００８２】
第３支持板１３１は、前方を向いて上下方向７及び左右方向９に沿って第３支持板１３１全体に拡がる第３支持面１３１Ａを有している。
【００８３】
第３支持面１３１Ａには、左右一対の突部１３２と、左右一対の係合部１３３と、左右一対の係合部１３４と、左右一対のガイドレール１３５とが設けられている。突部１３２、係合部１３３、係合部１３４及びガイドレール１３５は、第３支持板１３１と一体に形成されている。第３支持板１３１は、例えば樹脂により形成されている。
【００８４】
係合部１３４（第２係合部の一例）は、第３支持板１３１の下端部に位置している。係合部１３４は、図１５（Ａ），（Ｃ）に示されるように、弾性変形する弾性部１３４Ｃと弾性部１３４Ｃの下端において前方に突出した突出部１３４Ｄとを有している。突出部１３４Ｄは、突出部１３４Ｄの下端から上方に向かって前方に傾斜し下方を向いた下傾斜面１３４Ａと、突出部１３４Ｄの上端から下方に向かって前方に傾斜し上方を向いた上傾斜面１３４Ｂとを有している。下傾斜面１３４Ａ及び上傾斜面１３４Ｂは、第３支持面１３１Ａより前方に位置している。係合部１３４は、弾性部１３４Ｃの弾性変形により、突出部１３４Ｄが前後方向８に移動可能に形成されている。係合部１３４は、第２トレイ３０Ｂの第２支持板１１１における突部１１２に対応するものである。係合部１３４は、第２トレイ３０Ｂの第２支持板１１１における突部１１２と、前後方向８及び左右方向９において少なくとも一部が重なる位置にある。
【００８５】
係合部１３３（第３係合部の一例）は、第３支持板１３１の左右方向９における中央部に近い下端縁から下方に突出している。係合部１３３は、係合部１３４より左右方向９の内方に位置している。係合部１３３は、図１０に示されるように、弾性変形する弾性部１３３Ｃと弾性部１３３Ｃの下端において左右方向９の内方に突出した突出部１３３Ｄとを有している。突出部１３３Ｄは、突出部１３３Ｄの下端から上方に向かって左右方向９の内方に傾斜し下方を向いた下傾斜面１３３Ａと、突出部１３３Ｄの上端から下方に向かって左右方向９の内方に傾斜し上方を向いた上傾斜面１３３Ｂとを有している。係合部１３３は、弾性部１３３Ｃの弾性変形により、突出部１３３Ｄが左右方向９に移動可能に形成されている。係合部１３３は、第１トレイ３０Ａの第１支持板９０における突部９５に対応するものである。
【００８６】
当接壁１３７は、第３支持板１３１の第３支持面１３１Ａにおける下端縁から前方に突出している。当接壁１３７は左右方向９に延びるリブ形状である。当接壁１３７は、係合部１３４より左右方向９の外方に位置している。当接壁１３７は、上方に向いて前後方向８及び左右方向９に沿って拡がる当接面１３７Ａを有している。当接壁１３７は、第２トレイ３０Ｂの第２支持板１１１における突部１２０に対応するものである。当接壁１３７は、第２トレイ３０Ｂの第２支持板１１１における突部１２０と、前後方向８及び左右方向９において少なくとも一部が重なる位置にある。
【００８７】
ガイドレール１３５は、第３支持板１３１の第３支持面１３１Ａにおける下端部から前方に突出して上下方向７に延びている。ガイドレール１３５は、左右方向９において当接壁１３７における左右方向９の外端と同じ位置にある。ガイドレール１３５は、前方に突出した後、左右方向９の外方へ屈曲しており、且つ上下方向７に延設されている。ガイドレール１３５は、後方に向いて上下方向７及び前後方向８に沿って拡がる摺動面（不図示）を有している。ガイドレール１３５は、第２トレイ３０Ｂの第２支持板１１１におけるガイドレール１１８に対応するものである。ガイドレール１３５は、第２トレイ３０Ｂの第２支持板１１１におけるガイドレール１１８と、前後方向８及び左右方向９において少なくとも一部が重なる位置にある。ガイドレール１３５の摺動面の後方にガイドレール１１８が左右方向９の外方から進入することにより、ガイドレール１３５とガイドレール１１８とが互いに上下方向７にスライド移動が可能となる。
【００８８】
突部１３２は、第３支持板１３１の第３支持面１３１Ａにおける下端部から前方に突出している。突部１３２は、逆Ｔ字型のリブ形状である。突部１３２は、ガイドレール１３５より左右方向９の外方に位置している。突部１３２は、上方に向いて前後方向８及び左右方向９に沿って拡がる当接面１３２Ａを有している。突部１３２は、第２トレイ３０Ｂの第２支持板１１１における突部１１３に対応するものである。突部１３２は、第２トレイ３０Ｃの第２支持板１１１における突部１１３と、前後方向８及び左右方向９において少なくとも一部が重なる位置にある。
【００８９】
第３支持板１３１は、支持面１３１Ａから前方に突出し、前後方向８及び左右方向９に沿って拡がる板状の操作部１３６を上端縁に有している。操作部１３６は、矩形の平板形状である。図１１に示されるように、操作部１３６の後端部には、前後方向８及び左右方向に沿って拡がり下方を向いた下面１３６Ａが形成されている。下面１３６Ａは、第２支持板１１１の突部１２１に対応している。
【００９０】
［第１トレイ３０Ａ、第２トレイ３０Ｂ及び第３トレイ３０Ｃの組み付け］
図１１〜図１４に示されるように、第１トレイ３０Ａの第１支持板９０と第２トレイ３０Ｂの第２支持板１１１とは、第１支持板９０のガイドレール９６における摺動面（不図示）と第２支持板１１１のガイドレール１１９における摺動面１１９Ａとが対向するように組み付けられる。これにより、第１支持板９０と第２支持板１１１とは上下方向７（スライド方向の一例）にスライド可能になる。
【００９１】
第２トレイ３０Ｂの第２支持板１１１と第３トレイ３０Ｃの第３支持板１３１とは、第２支持板１１１のガイドレール１１８における摺動面と第３支持板１３１のガイドレール１３５における摺動面とが対向するように組み付けられる。これにより、第２支持板１１１と第３支持板１３１とは上下方向７（スライド方向の一例）にスライド可能になる。
【００９２】
第１トレイ３０Ａの後カバー１０１は、後カバー１０１の前面１０１Ａの周縁部が、第１支持板９０の延部９２の後端部に当接するように組み付けられる。そして、第１支持板９０における延部９２の貫通孔９７と、後カバー１０１における突部１０６のねじ穴とが位置合わせされて、ねじ止めされる。
【００９３】
［引出動作］
［第１状態］
図１１に示される第１状態は、第２トレイ３０Ｂ及び第３トレイ３０Ｃが第１トレイ３０Ａの内部に収納された状態である。第１状態において、第２トレイ３０Ｂは、第１トレイ３０Ａに対する収納位置（第１位置の一例、以下では、単に「第２トレイ３０Ｂの収納位置」という。）にある。また、第１状態において、第３トレイ３０Ｃは、第２トレイ３０Ｂに対する収納位置（第３位置の一例、以下では、単に「第３トレイ３０Ｃの収納位置」という。）にある。なお、図１１から図１４においては、説明の便宜上、後カバー１０１が省略されている。
【００９４】
第２トレイ３０Ｂの収納位置において、第１支持板９０における突部９４の当接面９４Ａと、第２支持板１１１における第２切欠き１１４の当接面１１４Ａとが上下方向７に当接する。また、後カバー１０１における突部１０３の当接面１０３Ａと、第２支持板１１１における延出部１１７の下当接面１１７Ｂとが上下方向７に当接する。これにより、第１トレイ３０Ａに対する第２トレイ３０Ｂの収納位置より下方に、第２トレイ３０Ｂが移動することが規制される。第２トレイ３０Ｂの収納位置において、第２支持板１１１は、第１支持板９０の後方に位置する状態で、第１支持板９０と前後方向８に重複している。
【００９５】
第３トレイ３０Ｃの収納位置において、第２支持板１１１における突部１２０の当接面１２０Ａと、第３支持板１３１における当接壁１３７の当接面１３７Ａとが上下方向７に当接する（図１５（Ａ）参照）。また、第２支持板１１１における突部１２１の当接面１２１Ａと、第３支持板１３１における操作部１３６の下面１３６Ａにおける左右方向９の端部とが上下方向７に当接する。これにより、第２トレイ３０Ｂに対する第３トレイ３０Ｃの収納位置より下方に、第３トレイ３０Ｃが移動することが規制される。第３トレイ３０Ｃの収納位置において、第３支持板１３１は、第２支持板１１１の後方に位置する状態で、第２支持板１１１と前後方向８に重複している。
【００９６】
また、第１状態において、第１支持板９０における突部９５の下傾斜面９５Ｂに、第３支持板１３１における係合部１３３の上傾斜面１３３Ｂが当接して、係合部１３３が突部９５に係合される。これにより、第３トレイ３０に上方（引出向きの一例）へ向けて、突部９５に対する係合部１３３の係合が解除されるだけの力が加わっていない状態において、第２トレイ３０Ｂに対する第３トレイ３０Ｃの収納位置より上方に、第３トレイ３０Ｃが移動することが回避される。
【００９７】
第１状態において、第２トレイ３０Ｂ及び第３トレイ３０Ｃは、第１トレイ３０Ａの第１支持板９０と後カバー１０１とによって画定される空間内に位置している。
【００９８】
第１状態からユーザが第３トレイ３０Ｃの操作部１３６を操作して第３トレイ３０Ｃを上方に引き上げることにより、トレイ本体部３０は、最終的に図１４に示される伸長状態に変化する。
【００９９】
第１状態から第３トレイ３０Ｃが貫通孔９７を通じて上方に移動されると、突部９５に対する係合部１３３の係合が解除される。具体的には、まず、突出部１３３Ｄが下傾斜面９５Ｂを摺動して上方へ移動する。これに伴い、係合部１３３の弾性部１３３Ｃが弾性変形して、突出部１３３Ｄが下傾斜面９５Ｂに沿って左右方向９の外方へ移動する。そして、突出部１３３Ｄが突部９５の下傾斜面９５Ｂを上方に乗り越えた後、突出部１３３Ｄが上傾斜面９５Ａに沿って左右方向９の内方へ移動しながら上方へ移動する。
【０１００】
その後、第２トレイ３０Ｃが停止したまま、第３トレイ３０Ｃが上方へ移動する。そして、トレイ本体部３０は、図１２に示される第２状態に至る。
【０１０１】
［第２状態］
図１２に示される第２状態において、第２トレイ３０Ｂは、第１トレイ３０Ａに対する収納位置にある。また、第２状態において、第３トレイ３０Ｂは、第１当接位置（第５位置の一例）にある。第１当接位置は、第２支持板９０における突部１１２の下面１１２Ｂと、第３支持板１３１における係合部１３４の上傾斜面１３４Ｂとが上下方向７に当接する位置である（図１５（Ａ）参照）。
【０１０２】
すなわち、第１状態から第２状態に至るまでの第３トレイ３０Ｃの引出過程において、突部１１２と係合部１３４とが離間した状態から図１５（Ａ）に示される当接している状態になる。
【０１０３】
第２状態から第３トレイ３０Ｃがさらに上方に移動されると、第３支持板１３１の係合部１３４が第２支持板１１１の突部１１２を乗り越えずに突部１１２を引っ張る。係合部１３４の突出部１３４Ｄが突部１１２と離れる向きへ弾性部１３４Ｃを弾性変形させるために必要な力は、第２トレイ３０Ｂを引き上げる力（例えば、第２トレイの重量）より大きい。そのため、第３トレイ３０Ｃの移動に追従して第２トレイ３０Ｂが貫通孔９７を通じて上方に移動する。そして、第２トレイ３０Ｂは、第１トレイ３０Ａに対して第２当接位置まで移動する。第２当接位置は、第１支持板９０における突部９３の下傾斜面９３Ｂと、第２支持板１１１における係合部１１６の上傾斜面１１６Ｂとが上下方向７に当接する位置である。
【０１０４】
第３トレイ３０Ｃが第１当接位置にあり、第２トレイ３０Ｂが第２当接位置にある状態から、第３トレイ３０Ｃがさらに上方に移動されると、突部９３の下傾斜面９３Ｂによって、第２支持板１１１における係合部１１６の上傾斜面１１６Ｂに後方への力がかかる。係合部１１６の突出部１１６Ｄが突部９３と離れる向き（後方）へ弾性部１１６Ｃを弾性変形させる力は、第２トレイ３０Ｂに対して第１当接位置にある第３トレイ３０Ｃを上方へ引き下げることによって突部９３から上傾斜面１１６Ｂにかかる力（例えば、係合部１３４の弾性部１３４Ｃの弾性変形力）より弱い。そのため、係合部１１６の弾性部１１６Ｃが弾性変形して上傾斜面１１６Ｂが突部９３と離れる向き（後方）へ移動する。これにより、突部９３の下傾斜面９３Ｂと、係合部１１６の上傾斜面１１６Ｂとの当接がはずれて、第３トレイ３０Ｃが第２トレイ３０Ｂに対してさらに上方へ移動する。そして、トレイ本体部３０は、図１３に示される第３状態に至る。
【０１０５】
［第３状態］
図１３に示される第３状態において、第２トレイ３０Ｂは、第１トレイ３０Ａに対する引出位置（第２位置の一例、以下では、単に「第２トレイ３０Ｂの引出位置」という。）にある。また、第３状態において、第３トレイ３０Ｂは、第１当接位置にある。
【０１０６】
第２トレイ３０Ｂの引出位置において、第１トレイ３０Ａの後カバー１０１における突部１０２の当接面１０２Ａと、第２トレイ３０Ｂの第２支持板１１１における延出部１１７の上当接面１１７Ａとが上下方向７に当接する。これにより、第１トレイ３０Ａに対する第２トレイ３０Ｂの引出位置より上方に、第２トレイ３０Ｂが移動することが規制される。第２トレイ３０Ｂの引出位置において、第２支持板１１１は、第１支持板９０の後方に位置する状態で、第１位置よりも小さい重複面積で第１支持板９０と前後方向８に重複している。
【０１０７】
また、第１トレイ３０Ａに対する第２トレイ３０Ｂの引出位置において、第１トレイ３０Ａの第１支持板９０における突部９３の上傾斜面９３Ａに、第２トレイ３０Ｂの第２支持板１１１における係合部１１６における下傾斜面１１６Ａが上下方向７に当接して、係合部１１６が突部９３に係合される（図１５（Ｂ）参照）。これにより、第２トレイ３０Ｂ及び第３トレイ３０Ｃの収納のために、ユーザが第２トレイ３０Ｂ及び第３トレイ３０Ｃを引出向き５と反対向きに押していない状態において、第１トレイ３０Ａに対する第２トレイ３０Ｂの収納位置より下方に、第２トレイ３０Ｂが移動することが回避される。
【０１０８】
図１５（Ｂ）に示されるように、突部９３の上傾斜面９３Ａ及び下傾斜面９３Ｂは、傾斜しているので、係合部１１６が突部９３に係合する際、係合部１１６の突出部１１６Ｄは、徐々に後方へ移動した後、徐々に前方に移動する。また、第３トレイ３０Ｃの引出位置では、係合部１３４の弾性部１３４Ｃにおける後方への弾性変形は、前方に少しだけ戻った状態にあり、係合において、突出部１１６Ｄは、第１支持板９０の後面９０Ｂに当接しない。そのため、係合による振動が起きにくい。これに加え、突部９３の上傾斜面９３Ａ及び下傾斜面９３Ｂにより、係合部１１６の突出部１１６Ｄの前後方向８への移動速度が遅いことにより、ユーザはクリック感を感じにくい。
【０１０９】
また、係合部１３４の弾性部１３４Ｃの弾性変形が前方に少しだけ戻った状態にあることにより、係合部１１６の突出部１１６Ｄは、突部９３の上傾斜面Ａに向けて付勢された状態にある。この付勢力は、上傾斜面９３Ａの傾斜により第２トレイ３０Ｂを上方に付勢する力に変換される。これにより、第１トレイ３０Ａの突部１０２の当接面１０２Ａと第２トレイ３０Ｂの延出部１１７の上当接面１１７Ａとが上下方向７に当接した状態で、第２トレイ３０Ｂは、上方に付勢されている。そのため、第２トレイ３０Ｂが上下方向７に移動すること（がたつき）が抑制される。
【０１１０】
第２支持板１１１の上方への移動が規制されているため、第３状態から第３トレイ３０Ｃがさらに上方に移動されると、突部１１２によって、第３支持板１３１における係合部１３４の上傾斜面１３４Ｂに後方への力がかかる。係合部１３４を後方へ弾性変形させる力が、この上傾斜面１３４Ｂにかかる力より弱くなるように、係合部１３４は形成されている。そのため、係合部１３４が弾性変形して上傾斜面１３４Ｂが後方へ移動する。これにより、突部１１２の下面１１２Ｂと、係合部１３４の上傾斜面１３４Ｂとの当接がはずれて、第３トレイ３０Ｃがさらに上方に移動する。そして、第３トレイ本体部３０は、図１４に示される第４状態に至る。
【０１１１】
［第４状態］
第４状態において、第２トレイ３０Ｂは、第１トレイ３０Ａに対する引出位置にある。また、第４状態において、第３トレイ３０Ｃは、第２トレイ３０Ｂに対する引出位置（第４位置の一例、以下では、単に「第３トレイ３０Ｃの引出位置」という。）にある。
【０１１２】
第３トレイ３０Ｃの引出位置において、第２トレイ３０Ｂの第２支持板１１１における突部１１３の当接面１１３Ａと、第３トレイ３０Ｃの第３支持板１３１における突部１３２の当接面１３２Ａとが上下方向７に当接する。これにより、第２トレイ３０Ｂに対する第３トレイ３０Ｃの引出位置より上方に、第３トレイ３０Ｃが移動することが規制される。第３トレイ３０Ｃの引出位置において、第３支持板１３１は、第２支持板１１１の後方に位置する状態で、第３位置よりも小さい重複面積で第２支持板１１１と前後方向８に重複している。
【０１１３】
また、第２トレイ３０Ｂに対する第３トレイ３０Ｃの引出位置において、第２トレイ３０Ｂの第２支持板１１１における突部１１２の上面１１２Ａと、第３トレイ３０Ｃの第３支持板１３１における係合部１３４の下傾斜面１３４Ａとが上下方向７に当接して、係合部１３４が突部１１２に係合される（図１５（Ｃ）参照）。これにより、第３トレイ３０Ｃに下方へ向けて、ユーザが第３トレイ３０Ｃを収納するために下方へ押していない状態において、第２トレイ３０Ｂに対する第３トレイの引出位置より下方に、第３トレイ３０Ｃが移動することが回避される。
【０１１４】
突部１１２の上面１１２Ａ及び下面１１２Ｂは、前後方向８及び左右方向９に沿って拡がっており、上下方向７において傾斜していない。そのため、第３トレイ３０Ｃが上方へ移動されるにおいて、係合部１３４が突部１１２に係合する際、係合部１３４の突出部１３４Ｄは、後方へ急速に移動した後、突部１１２を越えると、前方に急速に移動する。また、係合部１３４の弾性部１３４Ｃの後方への弾性変形は、前方に完全に戻りきった状態になる。そのため、ユーザが強いクリック感を感じる。
【０１１５】
［収納動作］
第４状態にあるトレイ本体部３０における第３トレイ３０Ｃの操作部１３６に下方への力が加えられると、まず、第１トレイ３０Ａの第１支持板９０における突部９３に対する第２トレイ３０Ｂの係合部１１６の係合が解除される。この際、突部９３の上傾斜面９３Ａによって係合部１１６の下傾斜面１１６Ａに加わる力によって、係合部１１６の突出部１１６Ｄが後方へ移動するように弾性部１１６Ｃが弾性変形する。その後、係合部１１６の突出部１１６Ｄが突部９３を乗り越えることにより、弾性部１１６Ｃが弾性復帰する。これは、第１トレイ３０Ａの第１支持板９０における突部９３に対する第２トレイ３０Ｂの係合部１１６の係合力が、第２トレイ３０Ｂの突部１１２に対する第３トレイ３０Ｃの第３支持板１３１における係合部１３４の係合力より弱いためである。これにより、第２トレイ３０Ｂが下方へ移動する。そして、トレイ本体部３０は、第２トレイ３０Ｂが収納位置にあり、第３トレイ３０Ｃが引出位置にある状態になる。
【０１１６】
さらに、第３トレイ３０Ｃの操作部１３６に下方への力が加えられると、第２トレイ３０Ｂの突部１１２に対する第３トレイ３０Ｃの係合部１３４の係合が解除される。この際、突部１１２の上面１１２Ａによって係合部１３４の下傾斜面１３４Ａに加わる力によって、係合部１３４の突出部１３４Ｄが後方へ移動するように弾性部１３４Ｃが弾性変形する。その後、係合部１３４の突出部１３４Ｄが突部１１２を乗り越えることにより、弾性部１３４Ｃが弾性復帰する。これにより、第３トレイ３０Ｃが下方へ移動する。そして、第３トレイ３０Ｃは、第１トレイ３０Ａとの第３当接位置まで移動する。第３当接位置においては、第１支持板９０における突部９５の上傾斜面９５Ａと、第３支持板１３１における係合部１３３の下傾斜面１３３Ａとが上下方向７に当接する。
【０１１７】
この位置から第３トレイ３０Ｃがさらに下方に移動されると、突部９５によって、第３支持板１３１における係合部１３３の下傾斜面１３３Ａに左右方向９における外方への力がかかる。係合部１３３を左右方向９における外方へ弾性変形させる力より強い力が操作部１３６にかけられることにより、係合部１３３が弾性変形して下傾斜面１３３Ａが左右方向９における外方へ移動する。これにより、係合部１３３の突出部１３３Ｄが突部９５の上傾斜面９５Ａに案内されて、突出部１３３Ｄが左右方向９の外方へ移動するように弾性部１３３Ｃが弾性変形する。その後、下傾斜面１３３Ａとの間の山を突出部１３３Ｄが越えると、突出部１３３Ｄが下傾斜面９５Ｂに案内されて、突出部１３３Ｄが左右方向９の内方へ移動するように弾性部１３３Ｃが弾性変形する。これにより、第３トレイ３０Ｃが下方へ移動し、第１状態に戻る。
【０１１８】
［本実施形態の作用効果］  
以上のように、第３トレイ３０Ｃが上方へ移動されると、第３トレイ３０Ｃが第２トレイ３０Ｂとの当接位置に移動し、第３トレイ３０Ｃの係合部１３４が第２トレイ３０Ｂの突部１１２と上向きに当接する。第３トレイ３０Ｃがさらに上方へ移動されると、係合部１３４が第２トレイ３０Ｂの突部１１２と当接した状態で第３トレイ３０Ｃと共に第２トレイ３０Ｂが上方へ移動する。第２トレイ３０Ｂが第２トレイ３０Ｂの引出位置まで移動されると、第２トレイ３０Ｂの係合部１１６が第１トレイ３０Ａの突部９３に係合する。また、第３トレイ３０Ｃが第３トレイ３０Ｃの引出位置まで移動されると、第３トレイ３０Ｃの係合部１３４が第２トレイ３０Ｂの突部１１２に係合する。このようにして、第２トレイ３０Ｂが第２トレイ３０Ｂの引出位置まで移動し、第３トレイ３０Ｃが第３トレイ３０Ｃの引出位置まで移動した状態で、第１トレイ３０Ａ、第２トレイ３０Ｂ及び第３トレイ３０Ｃが相互に係合される。
【０１１９】
第３トレイ３０Ｃの係合部１３４が第２トレイ３０Ｂの突部１１２に係合する前に、第２トレイ３０Ｂの係合部１１６が第１トレイ３０Ａの突部９３に係合する。そのため、第３トレイ３０Ｃのみが引き出された状態でシートトレイが使用されることが抑制される。
【０１２０】
第２トレイ３０Ｂの係合部１１６が第１トレイ３０Ａの突部９３に係合した状態において、第３トレイ３０Ｃが第２トレイ３０Ｂとの当接位置から第３トレイ３０Ｃの引出位置へ向かって移動されることで、第３トレイ３０Ｃの係合部１３４が弾性変形して第２トレイ３０Ｂの突部１１２との当接が解除され、第３トレイ３０Ｃが第３トレイに３０Ｃの引出位置へ容易に移動する。
【０１２１】
第２トレイ３０Ｂの係合部１１６の係合に対してユーザが感じるクリック感が少ない。そのため、ユーザが大きなクリック感を感じたとき、つまり、第３トレイ３０Ｃの係合部１３４が第２トレイ３０Ｂの突部１１２に係合したときに、係合部１１６及び係合部１３４が共に係合された状態になる。したがって、第２トレイ３０Ｂが第２トレイの引出位置に位置し、第３トレイ３０Ｃが第３トレイ３０Ｃの引出位置に位置する状態、すなわち、第２トレイ３０Ｂ及び第３トレイ３０Ｃが共に完全に引き出された状態が容易に把握される。
【０１２２】
また、突部９３の上傾斜面９３Ａに対する係合部１１６の付勢力により、第２トレイ３０Ｂは上向きへの力を受けている。すなわち、第２トレイ３０Ｂは、第２トレイ３０Ｂの引出位置において、上向きへの移動が規制された状態で上向きへの力を受けている。そのため、上下方向７における両向きへの第２トレイ３０Ｂの移動が抑制される。
【０１２３】
第２トレイ３０Ｂ及び第３トレイ３０Ｃの引出向きは、上向きである。そのため、第２トレイ３０Ｂが第２トレイの引出位置まで移動されておらず、且つ第３トレイ３０Ｃが第３トレイ３０Ｃの引出位置まで移動されていない状態で、第２トレイ３０Ｂ及び第３トレイ３０Ｃの移動が中止されると、重力により第２トレイ３０Ｂ及び第３トレイ３０Ｃがそれぞれの収納位置に戻りやすい。そのため、全てのトレイが完全に引き出された状態をユーザが容易に把握することができる。
【０１２４】
第３トレイ３０Ｃは、第２トレイ３０Ｂが第２トレイ３０Ｂの収納位置にあり且つ第３トレイ３０Ｃが第３トレイ３０Ｃの収納位置にあるときに、第１トレイ３０Ａに係合される係合部１３３を備えている。そのため、第２トレイ３０Ｂ及び第３トレイ３０Ｃが共に収納位置にある状態にＭＰトレイ１３が保持される。
【０１２５】
第２トレイ３０Ｂの第２支持板１１１の後面１１１Ｂと、第３トレイ３０Ｃの第３支持板１３１の後面１３１Ｂが後カバー１０１によって隠される。そのため、ＭＰトレイ１３の外観をよくすることができる。また、第２トレイ３０Ｂ及び第３トレイ３０Ｃが後カバー１０１によって保護される。
【０１２６】
第２トレイ３０Ｂ及び第３トレイ３０Ｃが共に収納位置にある状態において、第２トレイ３０Ｂ及び第３トレイ３０Ｃは第１トレイ３０Ａに隠された状態になる。そのため、この状態において、ＭＰトレイ１３の外観をよくすることができる。また、ＭＰトレイ１３をコンパクトにすることができる。
【０１２７】
［変形例］  
上述の実施形態において、係合部１１６は、第２トレイ３０Ｂの第２支持板１１１と一体に形成されており、第２支持板１１１は、樹脂により形成されていた。そのため、係合部１１６の弾性変形は、係合部１１６を形成する樹脂の弾性変形であった。これに対し、例えば、係合部１１６の下傾斜面１１６Ａが前後方向８に移動可能なように係合部１１６が第２支持板１１１に対して移動可能に形成され、係合部１１６の下傾斜面１１６Ａが突部９５の下傾斜面９５Ｂに当接する向きに、ばねなどの弾性部材によって係合部１１６が付勢されていてもよい。係合部１３４及び係合部１３３についても同様である。
【０１２８】
また、係合部１１６，１３３，１３４の係合において、係合部１１６，１３３，１３４は弾性変形可能な部材であり、突部９３，９５，１１２は弾性変形しない部材であったが、この逆に、係合部１１６，１３３，１３４は弾性変形しない部材であり、突部９３，９５，１１２が弾性変形可能な部材である構成が採用されてもよい。また、係合部１１６，１３３，１３４と突部９３，９５，１１２の両者が弾性変形する構成が採用されてもよい。
【０１２９】
また、係合部１１６，１３３，１３４と突部９３，９５，１１２とが係合可能であれば、係合部１１６，１３３，１３４が弾性変形する方向や突部９３，９５，１１２が突出する向きは任意に変更可能である。また、当接に関する他の突部についても突出する向きは任意に変更可能である。
【符号の説明】
【０１３０】
７・・・上下方向（スライド方向）
１０・・・複合機（シート搬送装置）
１１・・・プリンタ部（装置本体）
１５・・・記録紙（シート）
３０・・・トレイ本体部（シートトレイ）
３０Ａ・・・第１トレイ
３０Ｂ・・・第２トレイ
３０Ｃ・・・第３トレイ
５９・・・搬送ローラ対（給送部）
９０・・・第１支持板
９０Ａ・・・第１支持面
９０Ｂ・・・後面（突起支持面）
９２・・・延部
９２Ａ・・・貫通孔
９３・・・突部（第２突起部）
９３Ａ・・・上傾斜面９３Ａ（傾斜面）
１０１・・・後カバー（カバー）
１１１・・・第２支持板
１１１Ａ・・・第２支持面
１１３・・・突部１１３（第１突起部）
１１６・・・係合部（第１係合部）
１１６Ｃ・・・弾性部
１１６Ｄ・・・突出部
１１７・・・延出部（第３突起部）
１３１・・・第３支持板
１３１Ａ・・・第３支持面
１３３・・・係合部（第３係合部）
１３４・・・係合部（第２係合部）
【図１】
2017132624.tif 000003
【図２】
2017132624.tif 000004
【図３】
2017132624.tif 000005
【図４】
2017132624.tif 000006
【図５】
2017132624.tif 000007
【図６】
2017132624.tif 000008
【図７】
2017132624.tif 000009
【図８】
2017132624.tif 000010
【図９】
2017132624.tif 000011
【図１０】
2017132624.tif 000012
【図１１】
2017132624.tif 000013
【図１２】
2017132624.tif 000014
【図１３】
2017132624.tif 000015
【図１４】
2017132624.tif 000016
【図１５】
2017132624.tif 000017